(57)【要約】      （修正有）【課題】耐衝撃性を有するアナログ標示機構を駆動するデバイスを提供する。【解決手段】計時器用ムーブメント２は、歯列５を有する標示ディスク４によって形成された日付標示駆動デバイスを有する。この駆動デバイスは、駆動手段６と駆動源８を有する。駆動手段６は、ピンを有するピン車セット１０と、及び歯車１２と係合している係合車１８とを有し、このピン車セット１０は、歯車１２と、及びピンを有するピンピニオン１４とによって形成されている。ピンピニオン１４は、歯列５のいずれの歯の両側にも２つのピンが配置されるように構成するピン対を有する。ピン車セット１０の歯車１２と係合車１８はそれぞれ、互いに対して相補的な非円形の輪郭を有する。２つのピンが歯列に対して接線方向に向いている場合、歯車１２と係合車１８は、接線方向に向いているときの第１のギヤ比が、直交して配置されているときの第２のギヤ比よりも低いように構成している。【選択図】図１
2016176941.tif 000002
【特許請求の範囲】
【請求項１】
歯列（５）が設けられた標示ディスク（４）によって形成されるアナログ標示機構を駆動する駆動デバイスを有する計時器用ムーブメント（２）であって、
前記駆動デバイスは、駆動源（８）と、及び前記駆動源（８）を前記歯列（５）につなぐ駆動手段（６）とを有し、
前記駆動手段（６）は、ピンを有するピン車セット（１０）と、及び前記歯車と係合している係合車（１８）とを有し、このピン車セット（１０）は、歯車（１２）と、及びピンを有するピンピニオン（１４）とによって形成されており、
前記ピンピニオンは、特定の距離（ｄ１６）離れている直径方向にて反対側の２つのピン（１６ａ、１６ｂ）を有し、前記歯列（５）のいずれの歯の両側にも前記２つのピンが配置されるように構成し、
前記歯車（１２）は、第１の非円形の輪郭（１３ａ）を有し、
前記係合車（１８）は、前記第１の非円形の輪郭に対して相補的な第２の非円形の輪郭（１３ｂ）を有し、
前記歯車（１２）と前記係合車（１８）は、前記２つのピンが前記歯列に対して接線方向（Ｔ）に向いているときの第１のギヤ比が、前記２つのピンが前記接線方向を向いているときに対して直交して配置されているときの第２のギヤ比よりも低いように、互いに対して構成している
ことを特徴とする計時器用ムーブメント。
【請求項２】
前記２つのピンが前記標示ディスクの歯列に対して実質的に接線方向を向いている場合に、当該計時器用ムーブメントが前記歯列に対して接線方向の力を及ぼす衝撃を受けたときに、前記２つのピンは、自動ロックシステムをはたらかせるように構成している
ことを特徴とする請求項１に記載の計時器用ムーブメント。
【請求項３】
前記ピンピニオンは、前記標示ディスクの歯列に対して、前記標示ディスクの駆動のための遊び角領域（＋／−α）を有するように構成しており、
前記遊び角領域の角距離は、１０°よりも大きい（５°＜│α│）
ことを特徴とする請求項１又は２に記載の計時器用ムーブメント。
【請求項４】
前記ピンピニオンの前記角度位置が前記遊び角領域内にある場合に、衝撃を受けたときに、前記ピンピニオンの前記２つのピンは、前記標示ディスクの回転をブロックする
ことを特徴とする請求項３に記載の計時器用ムーブメント。
【請求項５】
前記係合車（１８）と前記ピン車セット（１０）の間の減速ギヤ比は、前記遊び角領域の外よりも前記遊び角領域内の方が大きい
ことを特徴とする請求項３又は４に記載の計時器用ムーブメント。
【請求項６】
前記駆動機構（６）の少なくとも１つの付加的な標示車（２０ａ）は、付加的な標示要素（２４）を有し、
前記付加的な標示要素は、前記標示ディスク（４）の位置を変えずに前記遊び角領域（−／＋αの領域）内で動作することができる
ことを特徴とする請求項３〜５のいずれか１項に記載の計時器用ムーブメント。
【請求項７】
前記付加的な標示車（２０ａ）は、前記遊び角領域内で角運動をしているときに、少なくとも３６０°の回転をすることができるように構成している
ことを特徴とする請求項６に記載の計時器用ムーブメント。
【請求項８】
前記付加的な標示要素は、前記付加的な標示車（２０ａ）のアーバーにマウントされている針（２４）である
ことを特徴とする請求項６又は７に記載の計時器用ムーブメント。
【請求項９】
前記付加的な標示車は、クロノグラフ機構を形成する
ことを特徴とする請求項８に記載の計時器用ムーブメント。
【請求項１０】
当該計時器用ムーブメントは、さらに、前記標示ディスクを位置合わせするためのジャンパーを有し、
このジャンパーは、前記標示ディスクを複数の別個の標示位置にて保持するように構成している
ことを特徴とする請求項３〜９のいずれか１項に記載の計時器用ムーブメント。
【請求項１１】
前記標示ディスクが前記複数の別個の標示位置のいずれの位置にあっても、接線方向を向いている前記２つのピンとその２つのピンの間に挿入されている前記歯列の歯との間で実質的に同じ接線方向のギヤバックラッシがある
ことを特徴とする請求項１０に記載の計時器用ムーブメント。
【請求項１２】
前記駆動源は、当該計時器用ムーブメントの電子ユニットによって制御される双方向性の電気モーターによって形成されている
ことを特徴とする請求項１〜１１のいずれか１項に記載の計時器用ムーブメント。
【請求項１３】
前記標示ディスクは、日付リングである
ことを特徴とする請求項１〜１２のいずれか１項に記載の計時器用ムーブメント。
【発明の詳細な説明】
【技術分野】
【０００１】
本発明は、アナログ標示機構を駆動するデバイスを有する計時器用ムーブメントに関し、特に、カレンダー標示用のアナログ標示機構を駆動するデバイスを有するものに関する。
【０００２】
本発明は、さらに、同じ単一の駆動源、特に、電磁式モーター、によって２つの独立したアナログインジケーターを駆動するデバイスを有する計時器用ムーブメントに関する。
【発明の概要】
【発明が解決しようとする課題】
【０００３】
本発明は、通常耐衝撃性を有する、アナログ標示機構、特に、計時器用ムーブメントにおける日付リング、を駆動するデバイスを提供することを目的とする。
【０００４】
また、本発明は、単一のモーターによる、単一の駆動源を有する多機能のアナログ標示機構のための駆動デバイス、特に、日付リングを駆動し単一のモーターによってクロノグラフ針の駆動機構を駆動するもの、を提供することをも目的とする。これは、標示機構の各機能に対して効率がよく、また、標示機構の第２の機能に対して少なくとも１つの機能を独立して発動させることを可能にする。
【０００５】
製造が経済的な計時器用ムーブメントのための標示機構駆動デバイスを提供することは有利である。
【０００６】
小型である計時器用ムーブメントのための標示機構駆動デバイスを提供することは有利である。
【課題を解決するための手段】
【０００７】
本発明の目的は、請求項１に記載のアナログ標示機構駆動デバイスを有する計時器用ムーブメントによって達成される。従属請求項において、本発明の有利な態様が記載されている。
【０００８】
本発明において、計時器用ムーブメントは、歯列を有する標示ディスクと、駆動源と、及び駆動源を歯列につなぐ駆動手段とを有するアナログ標示機構駆動デバイスを有する。駆動手段は、ピンを有するピン車セットと、及びピン車セットの歯車と係合している係合車とを有し、このピン車セットは、歯車と、及びピンを有するピンピニオンとによって形成されている。前記ピンを有するピンピニオンは、特定の距離離れた直径方向にて反対側の２つのピンを有し、これらの２つのピンは、前記歯列の歯のいずれにおいてもその歯の両側に配置されるように構成する。前記歯車は、第１の非円形の輪郭を有し、前記係合車は、前記第１の非円形の輪郭に対して相補的な第２の非円形の輪郭を有し、前記歯車と前記係合車は、前記２つのピンが前記歯列に対して接線方向（Ｔ）に向いているときの第１のギヤ比が、前記２つのピンが前記接線方向を向いているときに対して直交して配置されているときの第２のギヤ比よりも低いように、互いに対して構成している。
【０００９】
好ましい実施形態によると、２つのピンが標示ディスクの歯列に対して接線方向を向いている場合に、衝撃が歯列に対して接線方向の力を及ぼしたときに、前記２つのピンは、自動ロックシステムをはたらかせるように構成している。
【００１０】
「車の非円形の輪郭」とは、円ではない概略的な曲線を描く歯列が設けられた車、又は実質的に概略的な円を描くが回転軸がその概略的な円の中心から外れているような歯列が設けられた車を意味する。特定の実施形態によると、ピン車セットの歯車の非円形の輪郭は、楕円状又は実質的に楕円状である。
【００１１】
本発明の特定の実施形態によると、前記ピンピニオンは、標示ディスクの歯列に対して、標示ディスクの駆動のために遊び角領域を有するために形成される。遊び角領域の角距離は、１０°よりも大きいように構成している。好ましい変種によると、ピンピニオンの角度位置が遊び角領域内にある場合に、衝撃を受けたときに、ピンピニオンの２つのピンは、標示ディスクの回転をブロックする。
【００１２】
主要な実施形態によると、係合車とピン車の間の減速ギヤ比は、前記遊び角領域の外よりも前記遊び角領域内で大きい。
【００１３】
好ましい一実施形態によると、駆動機構の車の少なくとも１つは付加的な標示要素を有する。前記付加的な標示要素は、前記標示ディスクとは独立に遊び角領域において動作することができる。
【００１４】
一実施形態によると、前記付加的な標示車は、前記ピンピニオンが遊び角領域内にて角運動を行う場合に、少なくとも３６０°の回転をするように構成している。前記付加的な標示要素は、例えば、前記付加的な標示車のアーバーにマウントされた針であることができる。特定の変種において、前記付加的な標示車は、クロノグラフ車である。
【００１５】
一実施形態において、前記駆動源は、当該計時器用ムーブメントの電子ユニットによって制御される電気モーターを有する。この電気モーターは、双方向性であることができる。
【００１６】
請求の範囲及び下の実施形態の詳細な説明を読むことによって、本発明の他の目的及び有利な態様を理解することができるであろう。
【００１７】
添付図面（例であってこれに制限されない）を参照して、下に詳細に説明する。
【図面の簡単な説明】
【００１８】
【図１】本発明の一実施形態に係る計時器用ムーブメント用の標示機構駆動デバイスの概略斜視図である。この図は、１つの停止位置から次の停止位置へと動く日付ディスクを示している。
【図２】図１の実施形態の平面図であるが、日付ディスクが、停止位置、すなわち、静止ないし非駆動位置、にある。
【図３Ａ】図３Ａは、図２の部分拡大図である。
【図３Ｂ】図３Ｂは、図３Ａと同様な部分拡大図だが、駆動デバイスが遊び角領域制限位置にあり、この遊び角領域制限位置では、日付ディスクは不動のままである。
【図３Ｃ】図３Ｃは、図３Ａと同様な部分拡大図だが、日付ディスクが１つの停止位置から次の停止位置まで動いているような図１の位置を示している。
【発明を実施するための形態】
【００１９】
図面を参照すると、計時器用ムーブメント２は、本発明の一実施形態に係る標示機構を駆動する駆動デバイスを有する。この標示機構は、標示ディスク４によって形成され、標示機構駆動デバイスは、駆動手段６と駆動源８を有する。駆動源８は、例えば、電子的な計時器用ムーブメントの電子ユニット（図示せず）によって制御される電気モーターを有することができる。本発明の範囲内で、駆動源８は、さらに、機械的なモーターを駆動する機械的なエネルギー源又はハイブリッドシステムを有することもできる。本発明は、アイドルトルクが比較的小さい電気モーターを有する駆動源８であって、衝撃を受けた場合に駆動手段６をブロックする機構が必要であるようなものに対して特に有用である。図示した実施形態において、電気モーターは、駆動手段６の車２０ｃ、２０ｂ、２０ａの列につながれた出力ピニオン２２を有する。車２０ｃ、２０ｂ、２０ａの列は、ピン車セット１０とピン車セット１０の係合車１８とによって、標示ディスク４につながれている。係合車１８は、車２０ａ、２０ｂ、２０ｃの列につながれた別の歯車１９に固定マウントされている。
【００２０】
図示した実施形態において、標示ディスク４は、内周上に歯列５を有するリングの形態である。歯列５は、ピン車セット１０と係合している。変種の１つ（図示せず）では、標示ディスクの外周上に歯列５を配置することができ、標示ディスクは、中実のディスク又はリングのいずれの形態であってもよい。変種の１つ（図示せず）において、標示ディスクは、リング又はディスクの角区画であることができる。この場合、標示デバイスは双方向性である。一実施形態において、標示ディスクは、日付標示ディスク、すなわち、日付（月の日）を示すディスクである。本発明の範囲内の他の実施形態において、例えば、以下のような、他の任意の非連続的な機能も標示するために標示ディスクを用いることができる。すなわち、「ＡＭ／ＰＭ」、クロノグラフを意味する「ＣＨＲ」、「ＧＭＴ」、タイマーを意味する「ＴＭＲ」、アラームのオン／オフに対応する「ＡＬ  Ｏｎ／ＡＬ  Ｏｆｆ」である。
【００２１】
ピン車１０は、非円形の輪郭１３ａを有する歯車１２、及びピン１６、特に、ピン対１６ａ、１６ｂ、を有するピンピニオン１４を有する。ピンピニオン１４は、例えば、円筒状のピンの対の形態であって、歯車１２の回転軸Ａ10の両側に配置されており、歯車１２又は歯車１２にマウントされたプレートないしディスクに直接固定されているような形態であることができる。また、これらのピンは、直接歯車１２の一部を形成することができる。これは、例えば、歯車１２と一体的にされているピンを射出成形や機械加工することによってである。
【００２２】
図２及び３ａに示す停止位置において、ピン１６ａ、１６ｂが、標示ディスクの任意の歯５ａの両側に配置されるように構成している。この停止位置において、これらのピン１６ａ、１６ｂは、標示ディスク４の回転をブロックする。実際に、この位置において、ピン対１６は、本質的に、これらのピンと、ピン車１０の回転軸Ａ10を通る線が、標示ディスクの回転方向に対する、係合している歯における接線方向Ｔ、すなわち、歯列５によって歯５ａに対応する位置で定められる概略円の接線方向、に対応するような方向、に対応する方向を向いている。ピン対１６ａ、１６ｂの間の距離ｄ16は、歯５ａの幅ｄ5といくらかの遊びとの和に対応しており、これによって、これらのピン対１６ａ、１６ｂが歯のまわりで回転することが可能になっている。このことによって、ピンピニオンの回転軸Ａ10が、歯５ａの自由端２１に対して特定の深さまで入っているように位置することができる。これによって、ピン１６ａ、１６ｂが、歯５ａの両側に位置し、かつ、接線方向Ｔに対する２つの制限角度＋／−αの間で回転することを可能にし、これらの２つの制限角度−αと＋αの間の角距離は、標示ディスクの駆動のための遊び角領域、すなわち、ピン車が日付ディスクを駆動しない角領域、を形成する。具体的には、ピンピニオンは、標示ディスクの歯列に対して、伝統的なギヤバックラッシよりも大きい標示ディスクの駆動のための遊び角領域（＋／−α）があるように形成される。遊び角領域の角距離は一般に、１０°よりも大きく（５°＜  │α│）、あるいは実質的に１０°である。このようにして、係合車１８は、ピン車セット１０が１回転するごとに２回転する。歯列の輪郭は、摩擦力を最小限にするように、点接触又は線接触するように構成していることができる。これらの輪郭は、既知の方法を用いることによって定めることができる。
【００２３】
好ましい実施形態において、計時器用ムーブメントは、さらに、標示ディスクを位置合わせするジャンパーを有し、このジャンパーは、複数の別個の標示位置に標示ディスクを保持するように構成している。好ましい変種では、標示ディスクが複数の別個の標示位置のいずれの位置にあっても、接線方向に向いているピン１６ａ、１６ｂと、及び２つのピンの間に挿入されている歯列５の歯５ａとの間の接線方向のギヤバックラッシは、実質的に同じである。
【００２４】
図示した例において、駆動ピニオン２２は、３つの連続している車２０ｃ、２０ｂ、２０ａを介して、ピン車１０と係合している係合車１８がマウントされている歯車１９につながれている。しかし、駆動源８の特徴、車２０ａ、２０ｂ、２０ｃの列を構成する車どうしの減速ギヤ比、標示ディスクの寸法、及び所望の付加的な標示機能に依存して、駆動機構６における車の数や構成を変えることも当然できる。
【００２５】
本発明の実施形態の利点として、標示ディスクが双方向性であること、標示ディスクがブロック位置に留まる時間が最適化することができること、部品が少ない小型な機構であること、及びこの技術を伝統的な計時器用ムーブメントのモジュール化されたプラットホームに組み入れることができることなどがある。
【符号の説明】
【００２６】
２  計時器用ムーブメント
４  日付標示ディスク
５  歯列
５ａ  歯
６  駆動手段
１０  ピン車セット
Ａ10  回転軸
１２  歯車
１３ａ  非円形の輪郭
１４  ピンピニオン
１６  ピン（ピン対１６ａ、１６ｂ）
１８  （ピン車の）係合車
１３ｂ  非円形の輪郭
Ａ18  回転軸
１９  歯車
２０ａ、２０ｂ、２０ｃ  車
２０ａ  付加的な標示車（例、クロノグラフ車）
８  駆動源
２２  駆動ピニオン
２４  付加的な標示針
α  遊び角領域の制限角度（遊び角領域の角距離の半分）
Ｔ  接線方向
ｄ16  ピン対の間の距離
ｄ5  １つの歯の幅
【図１】
2016176941.tif 000003
【図２】
2016176941.tif 000004
【図３Ａ】
2016176941.tif 000005
【図３Ｂ】
2016176941.tif 000006
【図３Ｃ】
2016176941.tif 000007
【外国語明細書】
2016176941000001.pdf